(57)【要約】【課題】流路の健全性を効率的かつ確実に検証可能とする。【解決手段】流路下流端４０の属性を示す系統情報と前記系統での流下順に試験体１０毎に所定規則の下で設定される配列情報とをデータキャリア２０に格納した試験体１０を流路上流３５から流下させる工程と、流路下流端４０において前記試験体１０が備える前記データキャリア２０に対しリーダライタ１５０による読取り処理を実行し当該データキャリア２０の格納情報を取得する工程と、各試験体１０のデータキャリア２０から取得した格納情報に基づき同一系統を流下すべき試験体群の配列情報に所定規則との相違が生じているか否かを検知することで前記系統の健全性を判定する工程とを実行する。【選択図】  図１
2006257745.tif 000002
【特許請求の範囲】
【請求項１】
試験体を用いて流路における通水試験を行う方法であって、
流路下流端の属性を示す系統情報と、前記系統での流下順に試験体毎に所定規則の下で設定される配列情報とをデータキャリアに格納した試験体を、流路上流から流下させる工程と、
流路下流端において、前記試験体が備える前記データキャリアに対し、リーダライタによる読取り処理を実行し、当該データキャリアの格納情報を取得する工程と、
各試験体のデータキャリアから取得した格納情報に基づき、同一系統を流下すべき試験体群の配列情報に前記所定規則との相違が生じているか否かを検知することで、前記系統の健全性を判定する工程と、
を含むことを特徴とする通水試験方法。
【請求項２】
請求項１において、
前記健全性判定の工程において、前記試験体群の配列情報に前記所定規則との相違が生じていた場合、前記所定規則との相違原因となる試験体を、流路に沿って設けられた前記リーダライタによるデータキャリアの読取り動作によって探知し、該当系統における試験体の滞流又は紛失箇所を特定する工程、を備えることを特徴とする通水試験方法。
【請求項３】
請求項１または２において、
前記データキャリアが流路上流からの試験体の流下開始時刻を格納している場合、流路下流端におけるリーダライタによる読取り処理により取得した格納情報に基づいて、前記試験体が流路下流端に至った流下終了時刻と前記流下開始時刻との間の経過時間を算定し、排水完了時間を算出する工程、を備えることを特徴とする通水試験方法。
【請求項４】
請求項３において、
前記排水完了時間が所定時間以上であるか否か判定し、前記排水完了時間が所定時間以上であった場合、該当系統の健全性に問題があると判断する工程、を備えることを特徴とする通水試験方法。
【請求項５】
請求項１〜４のいずれかにおいて、
前記データキャリアが無線ＩＣタグであることを特徴とする通水試験方法。
【請求項６】
流路における試験体を用いた通水試験を行うシステムであって、
流路下流端の属性を示す系統情報と前記系統での流下順に試験体毎に所定規則の下で設定される配列情報とをデータキャリアに格納した試験体が、前記流路を流下して至った流路下流端において、前記試験体が備える前記データキャリアに対し、リーダライタによる読取り処理を実行し、当該データキャリアの格納情報を取得する格納情報取得部と、
各試験体のデータキャリアから取得した格納情報に基づき、同一系統を流下すべき試験体群の配列情報に前記所定規則との相違が生じているか否かを検知することで、前記系統の健全性を判定する健全性判定部と、
を備えることを特徴とする通水試験システム。
【請求項７】
流路における試験体を用いた通水試験をコンピュータに実行させるためのプログラムであって、
流路下流端の属性を示す系統情報と前記系統での流下順に試験体毎に所定規則の下で設定される配列情報とをデータキャリアに格納した試験体が、前記流路を流下して至った流路下流端において、前記試験体が備える前記データキャリアに対し、リーダライタによる読取り処理を実行し、当該データキャリアの格納情報を取得するステップと、
各試験体のデータキャリアから取得した格納情報に基づき、同一系統を流下すべき試験体群の配列情報に前記所定規則との相違が生じているか否かを検知することで、前記系統の健全性を判定するステップと、
を含む特徴とする通水試験プログラム。
【発明の詳細な説明】
【技術分野】
【０００１】
この発明は、通水試験方法、通水試験システム、および通水試験プログラムに関する。
【背景技術】
【０００２】
流体にデータキャリアを流すことで２点間の通信を行う技術がある。例えば、流体の流れに沿った地点間で高い伝送速度で信頼性の高い通信を提供することを課題として、流体の流れに沿った第１及び第２地点間のデータ通信方法において、流体の流れ中を流れることが可能で、遠隔的に書き込み及び読み取りが可能な複数のデータ記憶ユニットを提供する工程と、データ記憶ユニットが第１地点を通過する時に、遠隔的にデータ記憶ユニットにデータを書込む工程と、データ記憶ユニットが第２地点を通過する時に、遠隔的にデータ記憶ユニットからデータを読取る工程と、を備える方法（特許文献１参照）などが提案されている。
【特許文献１】特開平１０−２３１６７９号公報
【発明の開示】
【発明が解決しようとする課題】
【０００３】
しかしながら、従来提案されている技術は、あたかもネットワーク通信におけるデータパケットとしてデータキャリアを流体というネットワーク上に流通させるといった技術であり、滞流箇所や配管違いの有無等を系統毎に検証して流路の健全性を確認する技術とはなっていない。従って、流路中でのデータキャリアの紛失や滞流が生じた場合に、その紛失場所や滞流場所を特定して、流路における問題点を検証するといった具体的な手法は提案されてこなかったのである。また、流路中を流下させる試験体として、流路配管内において詰まり等が発生しない形態を採用したり、試験体に設置されるデータキャリアとして、流体に包まれた状態でも一定の通信性能を確保するものを採用するといった提案はされていなかった。
【０００４】
そこで本発明はこのような課題に着目してなされたもので、流路の健全性を効率的かつ確実に検証可能とする、通水試験方法、通水試験システム、および通水試験プログラムを提供する。
【課題を解決するための手段】
【０００５】
上記目的を達成する本発明の通水試験方法は、試験体を用いて流路における通水試験を行う方法であって、流路下流端の属性を示す系統情報と、前記系統での流下順に試験体毎に所定規則の下で設定される配列情報とをデータキャリアに格納した試験体を、流路上流から流下させる工程と、流路下流端において、前記試験体が備える前記データキャリアに対し、リーダライタによる読取り処理を実行し、当該データキャリアの格納情報を取得する工程と、各試験体のデータキャリアから取得した格納情報に基づき、同一系統を流下すべき試験体群の配列情報に前記所定規則との相違が生じているか否かを検知することで、前記系統の健全性を判定する工程と、を含むことを特徴とする。
【０００６】
また、本発明の通水試験方法は、前記健全性判定の工程において、前記試験体群の配列情報に前記所定規則との相違が生じていた場合、前記所定規則との相違原因となる試験体を、流路に沿って設けられた前記リーダライタによるデータキャリアの読取り動作によって探知し、該当系統における試験体の滞流又は紛失箇所を特定する工程、を備えることとすれば好適である。
【０００７】
また、本発明の通水試験方法は、前記データキャリアが流路上流からの試験体の流下開始時刻を格納している場合、流路下流端におけるリーダライタによる読取り処理により取得した格納情報に基づいて、前記試験体が流路下流端に至った流下終了時刻と前記流下開始時刻との間の経過時間を算定し、排水完了時間を算出する工程、を備えることとすれば好適である。
【０００８】
また、本発明の通水試験方法は、前記排水完了時間が所定時間以上であるか否か判定し、前記排水完了時間が所定時間以上であった場合、該当系統の健全性に問題があると判断する工程、を備えることとすれば好適である。
【０００９】
また、本発明の通水試験方法において、前記データキャリアが無線ＩＣタグであることとすれば好適である。
【００１０】
また、本発明の通水試験システムは、流路における試験体を用いた通水試験を行うシステムであって、流路下流端の属性を示す系統情報と前記系統での流下順に試験体毎に所定規則の下で設定される配列情報とをデータキャリアに格納した試験体が、前記流路を流下して至った流路下流端において、前記試験体が備える前記データキャリアに対し、リーダライタによる読取り処理を実行し、当該データキャリアの格納情報を取得する格納情報取得部と、各試験体のデータキャリアから取得した格納情報に基づき、同一系統を流下すべき試験体群の配列情報に前記所定規則との相違が生じているか否かを検知することで、前記系統の健全性を判定する健全性判定部と、を備えることを特徴とする。
【００１１】
また、本発明の通水試験プログラムは、流路における試験体を用いた通水試験をコンピュータに実行させるためのプログラムであって、流路下流端の属性を示す系統情報と前記系統での流下順に試験体毎に所定規則の下で設定される配列情報とをデータキャリアに格納した試験体が、前記流路を流下して至った流路下流端において、前記試験体が備える前記データキャリアに対し、リーダライタによる読取り処理を実行し、当該データキャリアの格納情報を取得するステップと、各試験体のデータキャリアから取得した格納情報に基づき、同一系統を流下すべき試験体群の配列情報に前記所定規則との相違が生じているか否かを検知することで、前記系統の健全性を判定するステップと、を含む特徴とする。
【００１２】
その他、本願が開示する課題、及びその解決方法は、発明の実施の形態の欄、及び図面により明らかにされる。
【発明の効果】
【００１３】
本発明によれば、流路の健全性を効率的かつ確実に検証可能とできる。
【発明を実施するための最良の形態】
【００１４】
以下に本発明の実施形態について図面を用いて詳細に説明する。本実施形態においては、例えば、商業ビルやマンション等の建築物における排水配管を流路として通水試験を行う状況を想定するが、これに適用対象が限定されるものではなく、通水試験が行われるいずれの状況にも適用可能である。
【００１５】
図１は、本実施形態における通水試験システムを含む試験概要図である。本発明の通水試験システム１００（以下、システム１００）は、本発明の通水試験方法のうちコンピュータ処理による工程を実行する機能を実現すべく書き換え可能メモリなどのプログラムデータベース１０１に格納されたプログラム１０２をメモリ１０３に読み出し、演算装置たるＣＰＵ１０４により実行する。
【００１６】
また、前記システム１００は、コンピュータ装置が一般に備えている各種キーボードやボタン類、ディスプレイなどの入出力インターフェイス１０５、ならびに、通水試験の実施を管理する工事事務所等が備えるサーバ２００などとの間のデータ授受を担う通信手段１０６などを有している。なお、本実施形態においては、前記システム１００として、試験担当者等が試験実行時に携行する情報端末（例：ＰＤＡやラップトップコンピュータなど）を想定するが、本発明の実行に必要な機能を備えた上で試験担当者が携行可能な情報端末であればいずれのものでも採用できる。
【００１７】
前記システム１００は、前記通信手段１０６により、前記サーバ２００らと例えば工事事務所内のＬＡＮ、或いはシリアル・インターフェース通信線などのネットワークを介して接続し、通水試験の実行に必要となる事前情報や通水試験後の試験結果の授受を実行する。システム１００の各種機能部と通信手段１０６との間ではＩ／Ｏ部１０７がデータのバッファリングや各種仲介処理を実行している。
【００１８】
なお、前記サーバ２００も、コンピュータとして、書き換え可能メモリなどのプログラムデータベースに格納されたプログラムをメモリに読み出し、演算装置たるＣＰＵにより実行する。また、コンピュータ装置が一般に備えている入出力インターフェイス、ならびにシステム１００との間のデータ授受を担う通信手段などを有している。更に、各種機能部と通信手段との間ではＩ／Ｏ部がデータのバッファリングや各種仲介処理を実行している。
【００１９】
また、本実施形態においては、一例として、試験範囲に含まれる流路３０が流路３１〜３３の複数存在している状況を想定する。また、流路３１、３２は、流路下流端が同じである同系統の流路であり、この系統を系統５０としている。他方、流路３３は、前記系統５０とは流路下流端が異なる別系統であるため、系統５１に属しているものとしている。
【００２０】
但し、説明の簡明化の為、特に試験範囲の流路や系統を区別しない場合、流路については“流路３０”、系統については“系統５０”で代表させることとする。
【００２１】
続いて、前記システム１００が例えばプログラム１０２に基づき構成・保持する機能部につき説明を行う。なお、前記試験体１０は、流路下流端４０の属性を示す系統情報と前記系統での流下順に試験体１０毎に所定規則の下で設定される配列情報とが、試験開始前にデータキャリア２０に格納されているものとする。なお、本実施形態においては、前記所定規則の一例として、系統での試験体１０の流下順に則した連番設定、を想定する。勿論、本発明の通水試験方法における前記規則の適用例がこれに限定されることはなく、試験体１０の流下順に則した規則性を示すものであればいずれの規則を設定してもよい。
【００２２】
前記システム１００は、流路下流端４０において、前記試験体１０が備える前記データキャリア２０に対し、リーダライタ１５０による読取り処理を実行し、当該データキャリア２０の格納情報を取得する格納情報取得部１１０を備える。
【００２３】
また、前記システム１００は、各試験体１０のデータキャリア２０から取得した格納情報に基づき、同一系統を流下すべき試験体群の配列情報に欠番（所定規則との相違）が生じているか否かを検知することで、前記系統の健全性を判定する健全性判定部１１１を備える。
【００２４】
また、前記システム１００は、前記健全性判定の工程において、前記試験体群の配列情報に欠番が生じていた場合、前記欠番に該当する試験体１０を、流路に沿って設けられた前記リーダライタ１５０によるデータキャリア２０の読取り動作によって探知し、該当系統における試験体１０の滞流箇所又は紛失箇所を特定する滞流・紛失箇所特定部１１２を備えるものとすれば好適である。
【００２５】
また、前記システム１００は、前記データキャリア２０が流路上流３５からの試験体１０の流下開始時刻を格納している場合、流路下流端４０におけるリーダライタ１５０による読取り処理により取得した格納情報に基づいて、前記試験体１０が流路下流端４０に至った流下終了時刻と前記流下開始時刻との間の経過時間を算定し、排水完了時間を算出する排出時間算出部１１３を備えるものとすれば好適である。
【００２６】
また、前記システム１００は、前記排水完了時間が所定時間以上であるか否か判定し、前記排水完了時間が所定時間以上であった場合、該当系統の健全性に問題があると判断する排水時間判定部１１４を備えるものとすれば好適である。
【００２７】
なお、これまで示した  システム１００における各機能部１１０〜１１４は、ハードウェアとして実現してもよいし、メモリやＨＤＤ（Ｈａｒｄ  Ｄｉｓｋ  Ｄｒｉｖｅ）などの適宜な記憶装置に格納したプログラムとして実現するとしてもよい。この場合、前記ＣＰＵ１０４がプログラム実行に合わせて記憶装置より該当プログラムをメモリ１０３に読み出して、これを実行することとなる。
【００２８】
−−−データキャリアの格納情報−−−
次に、本実施形態における前記データキャリアの格納情報について説明する。図２は、本実施形態におけるデータキャリアの格納情報例を示す図である。このデータキャリア２０は、流路下流端４０の属性を示す系統情報と前記系統５０での流下順に試験体１０毎に連番（所定規則の下で）設定される配列情報とを格納したものであり、試験体１０に貼付あるいは内蔵されるものである。このデータキャリアの例としては、無線ＩＣタグが想定できる。
【００２９】
このデータキャリア２０の格納情報は、例えば、ゴールＩＤ（流路下流端、つまり試験体が到達すべき目標地点毎のＩＤ）をキーとして、デバイスＩＤ（流路上流側のシステムのＩＤ）、デバイス−ゴールシリアル（システム毎かつゴール毎に設定された試験体のシリアル番号：配列情報の一つ）、デバイス−ゴールエンドフラグ（システム毎かつゴール毎に最後に流下させた試験体であることを示すフラグ）、デバイスシリアル（各システムを通しで設定する試験体のシリアル番号：配列情報の一つ）、デバイスエンドフラグ（システム毎に最後に流下させた試験体であることを示すフラグ）といった情報を関連づけたレコードの集合体となっている。
【００３０】
なお、本実施形態における試験体１０としては、球体、多面体、および帯状体などの形態をとることができるが、これらに限定されない。また、試験体１０は、通水試験の際に、流路内を流れる流体と一体となって流下する為に、水の流入を可能とする開口部を備えるものでもよい。或いは、試験体１０の材質自体が吸水性を備えたもや、粘土状のものであってもよい。
【００３１】
具体的な試験体１０として、プラスチック製のゴルフボール、軟式テニスボール、ゴムボール、手ぬぐい、などが使用できる。例えば、プラスチック製のゴルフボールの場合、例えば、１３．５６ＭＨｚ帯のラベル状の無線ＩＣタグを丸めて内部に挿入する。また、ゴムボールや軟式テニスボールの場合、ボールに孔を開けてその内部に水などの流体が入るようにしたうえで、例えば１３．５６ＭＨｚ帯のアンテナ両面に１ｍｍ程度の非導電体層を設けた無線ＩＣタグを挿入する。他方、手ぬぐいの場合、１３．５６ＭＨｚ帯のアンテナ両面に１ｍｍ程度の非導電体層を設けた無線ＩＣタグを縫いつけるか、予め縫いつけたポケット等に無線ＩＣタグを挿入する。つまり、前記無線ＩＣタグのアンテナ周囲に非導電体層を設けた試験体１０とするのである。
【００３２】
これは、１３．５６ＭＨｚ帯の無線ＩＣタグの場合、インレット状のものを濡れたもの（例：前記手ぬぐい等）で直接包むと、リーダライタによる格納情報の読取り動作が困難になる事象への対策である。そのため、インレットの両面に非導電体層を設けるか、同様の非導電体層でモールドされた無線ＩＣタグを使用することとなる。こうした措置を採用することにより、無線ＩＣタグが水分に包まれた状態でもリーダライタとの間での通信が可能となる。
【００３３】
−−試験方法−−
以下、本実施形態における通水試験方法の実際手順について、図に基づき説明する。なお、以下で説明する通水試験方法に対応する各種動作のうち、ＰＤＡなどのコンピュータにより実行するものは、前記システム１００がメモリ１０３に読み出して実行するプログラム１０２によって実現される。そして、このプログラム１０２は、以下に説明される各種の動作を行うためのコードから構成されている。
【００３４】
図３は、本実施形態における通水試験方法の実際手順例を示すフロー図である。このフロー図は本実施形態における通水試験方法のメインフローを示している。従って、各種判定処理については後述することとする。ここにおける通水試験方法では、まず、図１で示したような通水試験を実施する工事事務所において、通水試験前のＰＤＡなどのシステム１００が、サーバ２００より通水試験内容の情報等をダウンロードして格納しておく。また、通水試験対象となる流路３０の流路上流側３５においては、データキャリア２０を付帯した試験体１０が投入に備えているものとする。この試験体１０が付帯するデータキャリア２０には、前記システム１００（或いはサーバ２００）により、流下目的地たる流路下流端４０の属性を示す系統情報と前記系統５０での流下順に試験体１０毎に連番設定される配列情報とを書込処理しておく（Ｓ４００）。
【００３５】
前記データキャリア２０への書込処理がなされた試験体１０は、前記流路上流側３５から投入し、流路下流端４０へ向けて流下させる（Ｓ４０１）。上述したように、一つの系統５０に対して最終的に合流する流路３０で、試験対象のものが流路３１、３２と複数ある場合、前記試験体１０は各流路３１、３２に対して投入される。
【００３６】
流路３１、３２に投入された試験体１０は、流れに乗って流下し、流路下流端４０に到着したとする。これに対し、流路下流端４０において待機していたシステム１００（流路上流側３５でのシステム１００と別のものが想定できる）は、前記試験体１０が備える前記データキャリア２０に対し、リーダライタ１５０による読取り処理を実行し、当該データキャリア２０の格納情報を取得する（Ｓ４０２）。但し、この時点では、全ての試験体１０が正しい目的地つまり系統５０の流路下流端４０に到達したかは不明である。
【００３７】
そこで、流路下流端４０におけるシステム１００は、各試験体１０のデータキャリア２０から取得した格納情報に基づき、同一系統５０を流下すべき試験体群の配列情報に欠番が生じているか否かを検知し（Ｓ４０３）、前記系統の健全性を判定する（Ｓ４０４）。この判定手法の詳細については後述する。
【００３８】
また、前記データキャリア２０が流路上流３５からの試験体１０の流下開始時刻を格納している場合、前記システム１００は、流路下流端４０におけるリーダライタ１５０による読取り処理により取得した格納情報に基づいて、前記試験体１０が流路下流端４０に至った流下終了時刻と前記流下開始時刻との間の経過時間を算定し、排水完了時間を算出する（Ｓ４０５）。
【００３９】
更にシステム１００は、前記排水完了時間が所定時間以上であるか否か判定し（Ｓ４０６）、この判定の基づく判定結果を生成する（Ｓ４０７）。例えば、前記排水完了時間が所定時間以上であった場合、該当系統の健全性に問題があると判断することとなる。
【００４０】
こうした判定結果の内容に基づいて、前記システム１００は、前記系統５０の健全性を判断することとなる（Ｓ４０８）。ここで言う健全性は、例えば、流路が設計上定められた系統に正しく接続されているか否か、正しく接続されてはいるが排水勾配やコーナーのＲ等が不十分で流路中に滞流が生じないか否か、といった点が問題となる。
【００４１】
前記健全性判定の工程において、前記試験体群の配列情報に欠番が生じていた場合、システム１００は、欠番に該当する試験体１０を、流路に沿って設けられた前記リーダライタ１５０によるデータキャリア２０の読取り動作によって探知し、該当系統５０における試験体１０の滞流箇所又は紛失箇所を特定する（Ｓ４０９）。この前記リーダライタ１５０を用いた、データキャリア２０の読取り動作による紛失試験体１０の探知処理は、試験員がリーダライタ１５０を携行して流路に沿った巡回をするといったことで行うことが想定できる。なお、流路中に所定間隔で設置したリーダライタ１５０から、試験体１０の読取り結果をシステム１００が取得することで前記探知処理を行うとしてもよい。
【００４２】
こうしてシステム１００またはシステム１００からアップロードされたサーバ２００は、上記通水試験の実施過程（の全てあるいは一部）の経過情報等や前記健全性の判定結果を所定フォーマットに当てはめて、通水試験に関する記録表２５０を自動作成する（Ｓ４１０）。この記録表２５０は、サーバ２００が備える出力インターフェイス（例：ディスプレイや感熱プリンタ、或いは通信インターフェイス等）に出力し、処理を終了する。
【００４３】
−−判定手順−−
次に、上述した健全性の判定手順について以下に説明する。図４は、本実施形態の通水試験方法における欠番判定手順例を示すフロー図である。また、図５は、本実施形態における通水試験方法の判定結果例（ａ）〜（ｅ）を示す図である。
【００４４】
まずは、この説明において用いる用語の定義をあらためてしておく。試験体１０の回収時（流路下流端４０）に回収側のシステム１００で記録する情報としては、「Ｇｏａｌ  Ｃｈｅｃｋ」：実際に試験体１０を回収した到達地点つまり系統のＩＤがある。図５（ａ）の例では、“ア”〜“ウ”まで３系統存在する状況を想定している。
【００４５】
また、試験体１０の投入側（流路上流側３５）のシステム１００で、試験体１０に添付したデータキャリア２０（無線ＩＣタグ）に書込んでおいた情報としては、以下のものが上げられる。  
・Ｇｏａｌ：その試験体１０が到達すべき目標地点つまり系統のＩＤ＝図２で示した「ゴールＩＤ」。  
・Ｄｅｖｉｃｅ：試験体１０の投入側におけるシステム１００のＩＤ＝図２で示した「デバイスＩＤ」であり、図２では“Ａ”と“Ｂ”との２つのシステム１００を想定している。  
・Ｄｅｖｉｃｅ−Ｇｏａｌ  Ｓｅｒｉａｌ：ＤｅｖｉｃｅごとＧｏａｌごとのシリアル番号＝図２で示した「デバイス−ゴールシリアル」であり、本発明での配列情報にあたる。  
・Ｄｅｖｉｃｅ−Ｇｏａｌ  Ｅｎｄ  Ｆｌａｇ：ＤｅｖｉｃｅごとＧｏａｌごとに最後に投入された試験体１０を示すフラグ＝図２で示した「デバイス−ゴールエンドフラグ」。  
・Ｄｅｖｉｃｅ  Ｓｅｒｉａｌ：系統を跨ってＤｅｖｉｃｅごとに連番設定したシリアル番号＝図２で示した「デバイスシリアル」。  
・Ｄｅｖｉｃｅ  Ｅｎｄ  Ｆｌａｇ：Ｄｅｖｉｃｅごとに最後に投入された試験体１０であることを示すフラグ＝図２で示した「デバイスエンドフラグ」。
【００４６】
図３のステップＳ４００〜Ｓ４０２での処理により、流路下流端４０における回収側の各システム１００は、上記した各種情報を取得しているものとする。そして、システム１００は、図３に沿って既に上述した、健全性の判定手順を行うことができる。
【００４７】
図４のフローでは、前記システム１００のうち、回収側のシステム１００が、自身で得た試験結果に基づいて行う健全性の判定手順を示す。
【００４８】
前記システム１００は、全データから投入側デバイス毎にレコードを抽出し、リスト６００を作成して健全を判定する。ここで全デバイスについて既に健全性の判定処理済みであれば（Ｓ５０１：ＹＥＳ）、処理を終了する。他方、前記健全性の判定処理がまだ行われていない場合（Ｓ５０１：ＮＯ）、処理をステップＳ５０２に進める。
【００４９】
ここでシステム１００は、試験体１０の到着地点が予め設定されていた系統と一致するかを判定する（Ｓ５０２）。この時、前記システム１００は、リスト６００内の各レコードについて、前記“Ｇｏａｌ  Ｃｈｅｃｋ”と“Ｇｏａｌ”との照合を行い、その一致／不一致を判定する。
【００５０】
また、前記システム１００は、前記“Ｄｅｖｉｃｅ  Ｇｏａｌ  Ｓｅｒｉａｌ”つまり配列情報の欠番を、前記レコード中の“Ｇｏａｌ”が例えば“ア”に紐付いたものについて検索し、未着リスト６１０を生成する（Ｓ５０３）。この未着リスト６１０は、図５（ｂ）において、未着リストＰ（Ｘ）として示している。
【００５１】
更にシステム１００は、“Ｇｏａｌ”毎に“Ｄｅｖｉｃｅ  Ｇｏａｌ  Ｅｎｄ  Ｆｌａｇ”が無いレコードを前記未着リスト６１０中で特定し、該当レコードについては未着判定“△”：判断保留、のステータスを紐付ける。また、この時、“Ｄｅｖｉｃｅ  Ｇｏａｌ  Ｅｎｄ  Ｆｌａｇ”が見あたらないレコード群であるから、未着となっている試験体１０の前記“Ｄｅｖｉｃｅ  Ｇｏａｌ  Ｓｅｒｉａｌ”を“ｎ＋１〜？”として前記未着リスト６１０中に設定する（Ｓ５０４）。なお、前記“ｎ”は、既着の試験体１０のうち最大の“Ｄｅｖｉｃｅ  Ｇｏａｌ  Ｓｅｒｉａｌ”の値を採用する。
【００５２】
次に、システム１００は、前記“Ｄｅｖｉｃｅ  Ｅｎｄ  Ｆｌａｇ”がレコード群中に存在するか判定する（Ｓ５０５）。このステップにて、前記“Ｄｅｖｉｃｅ  Ｅｎｄ  Ｆｌａｇ”がレコード群中に存在しないとなった場合（Ｓ５０５：ＮＯ）、処理をステップＳ５０８へと進める。一方、前記“Ｄｅｖｉｃｅ  Ｅｎｄ  Ｆｌａｇ”がレコード群中に存在するとなった場合（Ｓ５０５：ＹＥＳ）、システム１００は、前記リスト６００内に格納されたレコード群について、“Ｄｅｖｉｃｅ  Ｓｅｒｉａｌ”の欠番を特定し、未着リスト６２０として生成する（Ｓ５０６）。この未着リスト６２０は、図５（ｃ）において未着リストＱ（Ｘ）として示している。図中の例では、“Ｄｅｖｉｃｅ  Ｓｅｒｉａｌ”が“３、５、１０、１１、１３”が欠番となっている。従って、試験体１０の未着数Ｍを“５”とする。
【００５３】
次にシステム１００は、“Ｄｅｖｉｃｅ”つまりシステム１００毎に作成した前記未着リスト６１０の保留部分について判定を行う（Ｓ５０７）。ここでは、前記未着判定“△”：判断保留、のステータスが紐付けされた未着リスト６１０中のレコードについて、例えば未着数を“Ｒ”とする。この時、前記未着判定“△”の“Ｄｅｖｉｃｅ  Ｇｏａｌ  Ｓｅｒｉａｌ”は、“ｎ＋１〜ｎ＋Ｒ”となる。特に、未着判定“△”：判断保留、のステータスを紐付けされた未着リスト６１０中のレコード数Ｌが“１”の場合、前記未着判定“△”は“×”：未着へと確定する。
【００５４】
なお、未着数“Ｒ”の算出は、前記未着リストＰ（Ｘ）におけるデータ数を“Ｎ”とすると、“Ｒ＝Ｍ−Ｎ＋１”となる。図５の例では、“Ｒ＝５−４＋１＝２”となるため、図５（ｄ）の未着リスト６３０のように、不明であった“Ｄｅｖｉｃｅ  Ｇｏａｌ  Ｓｅｒｉａｌ”は“ｎ＋１〜ｎ＋Ｒ”＝“５〜６”となる。
【００５５】
また、“Ｄｅｖｉｃｅ  Ｇｏａｌ  Ｅｎｄ  Ｆｌａｇ”の入力が確実でない場合、未着数Ｒの算定式は、“Ｒ＝Ｌ＋Ｍ−Ｎ”となる。図５の例では、“Ｒ＝２＋５−４＝３”となるため、この場合、図５（ｅ）の未着リスト６４０のように、不明であった“Ｄｅｖｉｃｅ  Ｇｏａｌ  Ｓｅｒｉａｌ”は“ｎ＋１〜ｎ＋Ｒ”＝“５〜７”となる。
【００５６】
こうしてシステム１００は未着リストを生成し、全てのデバイスについて同様の処理が行われたならば（Ｓ５０８、Ｓ５０１：ＹＥＳ）、処理を終了する。なお、作成された未着リストは、システム１００やサーバ２００がディスプレイやプリンタなどの適宜な出力インターフェイスに出力し、試験員等の閲覧に供されることとなる。
【００５７】
回収側のシステム１００は、投入側の“Ａ”や“Ｂ”のシステム１００と同一のものであってもよい。また、１つ又は複数の回収側のシステム１００を用いて各種情報を取得した場合、サーバ２００が各システム１００より情報を取得して健全性の判定手順を行うこともできる。
【００５８】
本発明によれば、試験体が流下してきた流路端において系統毎の配列情報の欠番などの所定規則との相違を検知することで、従来の通信インフラ等を利用せずにその場で通水試験の結果確認ができる。したがって、例えば流路上流および下流にいる試験員が携帯電話等で互いに通話して、１つの系統の健全性を確認してからでなければ次の系統の通水試験に移れなかった従来の状況にくらべ、本発明によれば複数の系統、経路において同時にあるいは連続的に試験体を流して試験を行うことが可能となる。そのため、通水試験の作業効率が大幅に改善可能となる。
【００５９】
また、通水試験に関する開始・終了の時刻や試験結果を通水試験システム等が備える適宜な記録媒体に記録することで、通水試験の実施履歴や試験結果の内容を確実に保管、管理することができる。更に、保管、管理する試験結果等に対し、書換不可の属性を設定することで試験結果のねつ造や改ざんなどを防止できる。また、通水試験システムが通水試験の結果を適宜な報告書のデータフォーマット等に当てはめて試験報告書の作成支援を行うことで、報告書作成業務の効率化が図れる。
【００６０】
また、試験体が流路配管の途中で詰まるなどした場合、従来はこれを探索するのに大変な時間と労力を要していたのにくらべ、本発明によれば無線ＩＣタグのリーダライタを使用することで簡単に探索することが可能となる。
【００６１】
したがって本発明によれば、流路の健全性を効率的かつ確実に検証可能とできる。
【００６２】
以上、本発明の実施の形態について、その実施の形態に基づき具体的に説明したが、これに限定されるものではなく、その要旨を逸脱しない範囲で種々変更可能である。
【図面の簡単な説明】
【００６３】
【図１】本実施形態における通水試験システムを含む試験概要図である。
【図２】本実施形態におけるデータキャリアの格納情報例を示す図である。
【図３】本実施形態における通水試験方法の実際手順例を示すフロー図である。
【図４】本実施形態の通水試験方法における欠番判定手順例を示すフロー図である。
【図５】本実施形態における通水試験方法の判定結果例（ａ）〜（ｅ）を示す図である。
【符号の説明】
【００６４】
１０    試験体
２０    データキャリア
３０〜３２  流路
３５    流路上流
４０    流路下流端
５０、５１  系統
１００  通水試験システム
１０１  プログラムデータベース
１０２  プログラム
１０３  メモリ
１０４  ＣＰＵ
１０５  入出力インターフェイス
１０６  通信手段
１０７  Ｉ／Ｏ部
１１０  格納情報取得部
１１１  健全性判定部
１１２  滞流・紛失箇所特定部
１１３  排出時間算出部
１１４  排水時間判定部
１５０  無線ＩＣタグリーダライタ
２００  事務所サーバ
２５０  記録表
【図１】
2006257745.tif 000003
【図２】
2006257745.tif 000004
【図３】
2006257745.tif 000005
【図４】
2006257745.tif 000006
【図５】
2006257745.tif 000007